(57)【特許請求の範囲】
【請求項１】
ユーザの指示に基づいてノイズレベルの優先を指定するノイズレベル指定手段と、
ユーザの指示に基づいて画像のサイズの制限値を指定する画像サイズ制限値指定手段と、
ノイズレベルの優先が指定された場合、画像のサイズを、指定された画像のサイズの制限値または撮影時のISO値により規定されるサイズより大きい画像のサイズに設定する画像サイズ設定手段と、
設定されたサイズに画像のサイズを変換する画像サイズ変換手段と
を備える画像処理装置。
【請求項２】
前記画像サイズ設定手段は、指定された画像のサイズの制限値のモードがオートモードである場合、画像のサイズを、撮影時のISO値により規定されるサイズより大きいサイズに設定し、指定された画像のサイズの制限値がオートモードでない場合、画像のサイズを、指定された画像のサイズの制限値により規定されるサイズより大きいサイズに設定する
請求項１に記載の画像処理装置。
【請求項３】
ノイズレベルの優先が指定された場合、ノイズレベルを指定するノイズレベルウインドウと、画像のサイズの制限値を指定する制限値ウインドウとを表示する表示手段をさらに備える
請求項２に記載の画像処理装置。
【請求項４】
前記表示手段は、前記ノイズレベルウインドウとして、ノイズレベルの抑圧の程度が低い第１のレベル、前記第１のレベルより高い第２のレベル、および前記第２のレベルより高い第３のレベルの少なくとも３つのレベルのいずれかを指定可能なウインドウを表示する
請求項３に記載の画像処理装置。
【請求項５】
前記画像サイズ設定手段は、指定された画像のサイズの制限値のモードがオートモードである場合、設定可能な最大の画像のサイズと撮影時のISO値により規定される画像のサイズとの差に係数を乗算して得られる値に、撮影時のISO値により規定される画像のサイズを加算することで画像のサイズを決定し、
前記係数は、０以上１以下の値であって、前記第１のレベルの係数は前記第２のレベルの係数より大きく、前記第２のレベルの係数は前記第３のレベルの係数より大きい
請求項４に記載の画像処理装置。
【請求項６】
前記画像サイズ設定手段は、指定された画像のサイズの制限値のモードがオートモードでない場合、設定可能な最大の画像のサイズと指定された画像のサイズの制限値により規定される画像のサイズとの差に係数を乗算して得られる値に、指定された画像のサイズの制限値により規定される画像のサイズを加算することで画像のサイズを決定し、
前記係数は、０以上１以下の値であって、前記第１のレベルの係数は前記第２のレベルの係数より大きく、前記第２のレベルの係数は前記第３のレベルの係数より大きい
請求項４に記載の画像処理装置。
【請求項７】
ユーザの指示に基づいてノイズレベルの優先を指定するノイズレベル指定ステップと、
ユーザの指示に基づいて画像のサイズの制限値を指定する画像サイズ制限値指定ステップと、
ノイズレベルの優先が指定された場合、画像のサイズを、指定された画像のサイズの制限値または撮影時のISO値により規定されるサイズより大きい画像のサイズに設定する画像サイズ設定ステップと、
設定されたサイズに画像のサイズを変換する画像サイズ変換ステップと
を備える画像処理方法。
【請求項８】
ユーザの指示に基づいてノイズレベルの優先を指定するノイズレベル指定ステップと、
ユーザの指示に基づいて画像のサイズの制限値を指定する画像サイズ制限値指定ステップと、
ノイズレベルの優先が指定された場合、画像のサイズを、指定された画像のサイズの制限値または撮影時のISO値により規定されるサイズより大きい画像のサイズに設定する画像サイズ設定ステップと、
設定されたサイズに画像のサイズを変換する画像サイズ変換ステップと
を含むコンピュータが読み取り可能なプログラムが記録されている記録媒体。
【請求項９】
ユーザの指示に基づいてノイズレベルの優先を指定するノイズレベル指定ステップと、
ユーザの指示に基づいて画像のサイズの制限値を指定する画像サイズ制限値指定ステップと、
ノイズレベルの優先が指定された場合、画像のサイズを、指定された画像のサイズの制限値または撮影時のISO値により規定されるサイズより大きい画像のサイズに設定する画像サイズ設定ステップと、
設定されたサイズに画像のサイズを変換する画像サイズ変換ステップと
をコンピュータに実行させるプログラム。
【発明の詳細な説明】
【技術分野】
【０００１】
本発明は、画像処理装置および方法、記録媒体並びにプログラムに関し、特に、できるだけ画像のサイズを小さくすることなく画像のノイズを抑制するようにした画像処理装置および方法、記録媒体並びにプログラムに関する。
【背景技術】
【０００２】
最近デジタルスチルカメラの撮像素子として、画素数が多いものが使用されるようになってきた。最近では、４００万画素乃至５００万画素の撮像素子が主流となっている。これにより、ユーザは極めて高画質の静止画像を得ることが可能となる。
【０００３】
しかしながら、撮像素子自体の大きさは大きくさせずに撮像素子の画素数が多くなると、１画素あたりの面積が少なくなるため、その分受光面積が小さくなって、ノイズも多くなる。複数の画素の出力を加算することで、ノイズが減少することが知られている。係る原理に基づいて複数の撮像素子の出力を合成することでノイズを減少させることが提案されている（例えば、特許文献１）。
【０００４】
【特許文献１】特開平６−３２６９０７号公報
【発明の開示】
【発明が解決しようとする課題】
【０００５】
しかしながら、複数の撮像素子を用いるようにすると、構成が複雑化し、装置が大型化する問題が発生する。
【０００６】
また１つの撮像素子を有するデジタルスチルカメラにおいても、画像のサイズをユーザが任意に設定できる機能を有するものがある。このような機能を有するデジタルスチルカメラにおいては、ユーザが必要に応じてそのサイズを小さい値に設定すれば、その分ノイズが抑制された画像を得ることが可能となる。
【０００７】
しかしながら、原理的には画像を小さくするほどノイズが抑制されるため、ユーザはノイズを抑制しようとした場合には、必要以上に小さい画像のサイズを設定してしまうことが多かった。
【０００８】
本発明はこの状況に鑑みてなされたものであり、できるだけ画像のサイズを小さくすることなく画像のノイズを簡単に抑制することができるようにするものである。
【課題を解決するための手段】
【０００９】
本発明の側面は、ユーザの指示に基づいてノイズレベルの優先を指定するノイズレベル指定手段またはステップと、
ユーザの指示に基づいて画像のサイズの制限値を指定する画像サイズ制限値指定手段またはステップと、
ノイズレベルの優先が指定された場合、画像のサイズを、指定された画像のサイズの制限値または撮影時のISO値により規定されるサイズより大きい画像のサイズに設定する画像サイズ設定手段またはステップと、
設定されたサイズに画像のサイズを変換する画像サイズ変換手段またはステップと
を備える画像処理装置および方法、記録媒体またはプログラムである。
【００１０】
前記画像サイズ設定手段は、指定された画像のサイズの制限値のモードがオートモードである場合、画像のサイズを、撮影時のISO値により規定されるサイズより大きいサイズに設定し、指定された画像のサイズの制限値がオートモードでない場合、画像のサイズを、指定された画像のサイズの制限値により規定されるサイズより大きいサイズに設定することができる。
【００１１】
ノイズレベルの優先が指定された場合、ノイズレベルを指定するノイズレベルウインドウと、画像のサイズの制限値を指定する制限値ウインドウとを表示する表示手段をさらに備えることができる。
【００１２】
前記表示手段は、前記ノイズレベルウインドウとして、ノイズレベルの抑圧の程度が低い第１のレベル、前記第１のレベルより高い第２のレベル、および前記第２のレベルより高い第３のレベルの少なくとも３つのレベルのいずれかを指定可能なウインドウを表示することができる。
【００１３】
前記画像サイズ設定手段は、指定された画像のサイズの制限値のモードがオートモードである場合、設定可能な最大の画像のサイズと撮影時のISO値により規定される画像のサイズとの差に係数を乗算して得られる値に、撮影時のISO値により規定される画像のサイズを加算することで画像のサイズを決定し、
前記係数は、０以上１以下の値であって、前記第１のレベルの係数は前記第２のレベルの係数より大きく、前記第２のレベルの係数は前記第３のレベルの係数より大きくすることができる。
【００１４】
前記画像サイズ設定手段は、指定された画像のサイズの制限値のモードがオートモードでない場合、設定可能な最大の画像のサイズと指定された画像のサイズの制限値により規定される画像のサイズとの差に係数を乗算して得られる値に、指定された画像のサイズの制限値により規定される画像のサイズを加算することで画像のサイズを決定し、
前記係数は、０以上１以下の値であって、前記第１のレベルの係数は前記第２のレベルの係数より大きく、前記第２のレベルの係数は前記第３のレベルの係数より大きくすることができる。
【００１５】
本発明の側面においては、ノイズレベルの優先が指定された場合、画像のサイズが、指定された画像のサイズの制限値または撮影時のISO値により規定されるサイズより大きい画像のサイズに設定される。
【発明の効果】
【００１６】
本発明の側面によれば、画像のノイズを抑制することができる。特に、本発明の側面によれば、できるだけ画像のサイズを小さくすることなく画像のノイズを簡単に抑制することができる。
【発明を実施するための最良の形態】
【００１７】
以下に本発明の最良の形態を説明するが、開示される発明と実施の形態との対応関係を例示すると、次のようになる。明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１８】
本発明の側面は、ユーザの指示に基づいてノイズレベルの優先を指定するノイズレベル指定手段（例えば、図１のノイズレベル優先ボタン８３）またはステップ（例えば、図８のステップＳ４１）と、
ユーザの指示に基づいて画像のサイズの制限値を指定する画像サイズ制限値指定手段（例えば、図９のウインドウ１４１）と、
ノイズレベルの優先が指定された場合、画像のサイズを、指定された画像のサイズの制限値（例えば、式（３）、式（５）、式（７）の画像サイズ制限設定値）または撮影時のISO値により規定されるサイズ（例えば、式（２）、式（４）、式（７）のf（ISO値）より大きい画像のサイズ（例えば、式（２）乃至（５）、式（７）、式（８）で設定される画像のサイズ）に設定する画像サイズ設定手段（例えば、図１１のステップＳ９０，Ｓ９１、図１２のステップＳ９４，Ｓ９５，Ｓ９８，Ｓ９９の処理を実行する図２の設定部１０２）またはステップ（例えば、図１１のステップＳ９０，Ｓ９１、図１２のステップＳ９４，Ｓ９５，Ｓ９８，Ｓ９９）と、
設定されたサイズに画像のサイズを変換する画像サイズ変換手段（例えば、図２の変換部１０３）またはステップ（例えば、図１２のステップＳ１０３）と
を備える画像処理装置または画像処理方法（例えば、図１のデジタルスチルカメラ１またはその画像処理方法）である。
【００１９】
前記画像サイズ設定手段は、指定された画像のサイズの制限値のモードがオートモードである場合（例えば、図１１のステップＳ８９、図１２のステップＳ９３，Ｓ９７で画像サイズ制限はAutoであると判定された場合）、画像のサイズを、撮影時のISO値により規定されるサイズ（例えば、式（２）、式（４）、式（７）のｆ(ISO値)）より大きいサイズに設定し（例えば、図１１のステップＳ９１，図１２のステップＳ９５，Ｓ９９）、指定された画像のサイズの制限値がオートモードでない場合（例えば、図１１のステップＳ８９、図１２のステップＳ９３，Ｓ９７で画像サイズ制限はAutoでないと判定された場合）、画像のサイズを、指定された画像のサイズの制限値により規定されるサイズ（例えば、式（３）、式（５）、式（８）の画像サイズ制限設定値）より大きいサイズに設定する（例えば、図１１のステップＳ９０，図１２のステップＳ９４，Ｓ９８）ことができる。
【００２０】
ノイズレベルの優先が指定された場合、ノイズレベルを指定するノイズレベルウインドウ（例えば、図１０のウインドウ１４２）と、画像のサイズの制限値を指定する制限値ウインドウ（例えば、図９のウインドウ１４１）とを表示する表示手段（例えば、図３の表示部１２２）をさらに備えることができる。
【００２１】
前記表示手段は、前記ノイズレベルウインドウとして、ノイズレベルの抑圧の程度が低い第１のレベル（例えば、図１０の優先度Lo）、前記第１のレベルより高い第２のレベル（例えば、図１０の優先度Mid）、および前記第２のレベルより高い第３のレベル（例えば、図１０の優先度Hi）の少なくとも３つのレベルのいずれかを指定可能なウインドウを表示することができる。
【００２２】
前記画像サイズ設定手段は、指定された画像のサイズの制限値のモードがオートモードである場合（例えば、図１１のステップＳ８９、図１２のステップＳ９３,S９７で画像サイズ制限はAutoであると判定された場合）、設定可能な最大の画像のサイズと撮影時のISO値により規定される画像のサイズとの差に係数（例えば、式（２）の係数KLO、式（４）の係数KMid、式（７）の係数KHi）を乗算して得られる値に、撮影時のISO値により規定される画像のサイズを加算することで画像のサイズを決定し（例えば、図１１のステップ９１、図１２のステップＳ９５,S９９の処理）、
前記係数は、０以上１以下の値であって、前記第１のレベルの係数（例えば、式（２）の係数KLO）は前記第２のレベルの係数（例えば、式（４）の係数KMid）より大きく、前記第２のレベルの係数は前記第３のレベルの係数（例えば、式（７）の係数KHi）より大きくすることができる。
【００２３】
前記画像サイズ設定手段は、指定された画像のサイズの制限値のモードがオートモードでない場合（例えば、図１１のステップＳ８９、図１２のステップＳ９３,S９７で画像サイズ制限はAutoでないと判定された場合）、設定可能な最大の画像のサイズと指定された画像のサイズの制限値により規定される画像のサイズとの差に係数（例えば、式（３）の係数KLO、式（５）の係数KMid、式（８）の係数KHi）を乗算して得られる値に、指定された画像のサイズの制限値により規定される画像のサイズを加算することで画像のサイズを決定し（例えば、図１１のステップ９０、図１２のステップＳ９４,S９８の処理）、
前記係数は、０以上１以下の値であって、前記第１のレベルの係数（例えば、式（３）の係数KLO）は前記第２のレベルの係数（例えば、式（５）の係数KMid）より大きく、前記第２のレベルの係数は前記第３のレベルの係数（例えば、式（８）の係数KHi）より大きくすることができる。
【００２４】
以下、本発明の実施形態について図を参照して説明する。
【００２５】
図１は、本発明の実施形態としてのデジタルスチルカメラの構成を表している。このデジタルスチルカメラ１は、光センサ５１、画像信号処理ブロック５２、画像データ書き込みブロック５３、フラッシュメモリ５４、並びにユーザインターフェース部５５により構成されている。
【００２６】
光センサ５１は、例えばCCD（Charge Coupled Device）、またはCMOS（Complementary Metal-oxide Semiconductor）などの撮像素子で構成され、入射された光を画像信号に変換して、画像信号処理ブロック５２に出力する。
【００２７】
画像信号処理ブロック５２は、ISOゲイン補正部６１、ホワイトバランス処理部６２、リニアマトリックス処理部６３、同時化処理部６４、γ補正処理部６５、画像サイズ変換部６６、マトリックス処理部６７、並びにノイズ優先処理部６８により構成されている。
【００２８】
ISOゲイン補正部６１は、光センサ５１より出力された画像信号に対して、ユーザにより設定されたISO値に基づく補正処理を行う。ISO値は、ユーザがユーザインターフェース部５５を操作することで設定する。ホワイトバランス処理部６２は、ISOゲイン補正部６１より出力されたRGBの各信号の相対的なレベルを補正することで行われる。
【００２９】
リニアマトリックス処理部６３は、ホワイトバランス処理部６２より出力された画像信号を、想定されたディスプレイに適正なカラー画像が表示されるように補正する。同時化処理部６４は、リニアマトリックス処理部６３より出力された画像信号に対して同時化処理（デモザイク処理）する。これにより、各画素位置毎にR,G,Bのすべての色信号が生成される。
【００３０】
γ補正処理部６５は、同時化処理部６４より出力された画像信号に対してγ補正処理を施し、画像サイズ変換部６６に出力する。画像サイズ変換部６６は、γ補正処理部６５より入力された画像信号の画像サイズを、ノイズ優先処理部６８により指定された画像サイズに変換する処理を実行する。ノイズ優先処理部６８は、ISOゲイン補正部６１より出力されたISO値（ユーザにより設定された値）、並びにユーザインターフェース部５５より出力された画像サイズ制限値とノイズレベルに基づいて画像サイズを決定し、決定した画像サイズを画像サイズ変換部６６に出力する。
【００３１】
マトリックス処理部６７は、画像サイズ変換部６６より出力されたRGB信号を処理することで、JPEG（Joint Photographic Experts Group）の静止画データ（Y,Cb,Cr）を生成し、画像データ書き込みブロック５３に出力する。画像データ書き込みブロック５３は、マトリックス処理部６７より供給されたJPEG方式の画像データを、フラッシュメモリ５４に供給し、記録させる。また、画像データ書き込みブロック５３は、画像信号処理ブロック５２において、例えば１画素あたり１４ビットで処理されているRGBデータを、１画素あたり８ビットのRGBデータに変換して、フラッシュメモリ５４に出力し、記録する。
【００３２】
ユーザインターフェース部５５は、画像サイズボタン８１、メニューボタン８２、ノイズレベル優先ボタン８３、並びに表示部８４を有する。画像サイズボタン８１は、ユーザが画像サイズを設定するとき操作する。メニューボタン８２は、ユーザが表示部８４にメニューを表示させるとき操作する。ノイズレベル優先ボタン８３は、ユーザがノイズレベル優先モードを設定するとき操作する。表示部８４は、例えばLCD（Liquid Crystal Display）などにより構成され、撮影画像の他、必要なメニューや情報を表示する。
【００３３】
ユーザインターフェース部５５は、この他各種のボタンやスイッチなど備えており、各々が操作されたとき、その操作に応じた指令を各部に出力する。
【００３４】
画像サイズ変換部６６は、図２に示されるような機能的構成を有している。すなわち画像サイズ変換部６６は、判定部１０１、設定部１０２、並びに変換部１０３により構成される。判定部１０１は、各種の判定処理を実行する。設定部１０２は画像サイズを設定する処理を実行する。変換部１０３は画像サイズを変換する処理を実行する。
【００３５】
図３は、ノイズ優先処理部６８の機能的構成を示している。ノイズ優先処理部６８は、同図に示されるように、判定部１２１、表示部１２２、並びに取込部１２３により構成される。判定部１２１は、各種の判定処理を実行する。表示部１２２は、必要な画像や情報をユーザインターフェース部５５の表示部８４に表示させる。取込部１２３は、ユーザにより設定されたパラメータ、その他の情報を取り込む処理を実行する。
【００３６】
次に、図４のフローチャートを参照して、図１のデジタルスチルカメラ１が実行する画像記録処理について説明する。なおこの処理は、ユーザがユーザインターフェース部５５の図示せぬシャッタボタンを操作することで、画像の記録を指示したとき実行される。
【００３７】
ステップＳ１１において、ISOゲイン補正部６１は、ISOゲインを補正する。すなわち光センサ５１より出力された被写体を撮像して得られた画像信号がISOゲイン補正部６１により補正される。光センサ５１は、図５に示される特性を有している。線Ｌ１は、ユーザによりISO１００が設定された場合の特性を表し、線Ｌ２はユーザによりISO２００が設定された場合の特性を表している。
【００３８】
ISO１００が設定された場合、撮像シーンの明るさのレベルが０乃至Ｙ２の値であるとき、それに対応して、光センサ５１の出力信号のレベルは線Ｌ１に沿って０乃至Ｓ２と直線的に変化する値となる。シーンの明るさがＹ２以上である場合、光センサ５１の出力はＳ２に固定される。
【００３９】
これに対して、ISO２００が設定された場合には、線Ｌ２に従って（この線Ｌ２は線Ｌ１の明るさレベルが０乃至Ｙ１の期間に対応する）、シーンの明るさレベルが０乃至Ｙ１のとき、光センサ５１の出力信号のレベルは０乃至Ｓ１と直線的に変化する。
【００４０】
ISOゲイン補正部６１は、図５に示されるように出力された光センサ５１の出力を図６のISOゲイン補正特性にしたがって補正する。すなわち図６に示されるように、ISO１００が設定された場合には、線Ｌ１１に沿って直線的に補正処理が行われ、ISO２００が設定された場合には、線Ｌ１２に沿って直線的に補正処理が行われる。ISO１００が設定された場合には、光センサ５１の出力は線Ｌ１１に従ってほぼ１対１の特性で補正される。すなわち０乃至２のレベルの光センサ５１の出力信号は、０乃至２のレベルに直線的に補正された補正信号とされる。これに対してISO２００が設定された場合には、線Ｌ１２にしたがって直線的に補正処理が行われる。その結果、光センサ５１の出力はほぼ１対２の特性にしたがって補正される。すなわち、０乃至１のレベルの光センサ５１の出力は、０乃至２のレベルの補正信号として出力される。
【００４１】
次にステップＳ１２においてホワイトバランス処理部６２は、ホワイトバランスを設定する。具体的には、ISOゲイン補正されたRGBの各色信号が、白色が正しく表示されるようにそのレベルが相対的に調整される。
【００４２】
ステップＳ１３において、リニアマトリックス処理部６３はリニアマトリックス処理をする。この処理により、あらかじめ想定されているディスプレイにおいて適正なカラー画像が表示されるようにRGB信号のレベルが調整される。
【００４３】
次にステップＳ１４において、同時化処理部６４は同時化処理する。これにより、１つの画素位置に対応するRGBの３原色の画像信号が生成される。
【００４４】
ステップＳ１５においてγ補正処理部６５はγ補正処理する。すなわちISOゲイン補正信号（ISOゲイン補正された後、さらにホワイトバランス調整、リニアマトリックス処理、並びに同時化処理された信号）が、図７の曲線Ｌ２１に沿って補正される。これにより小さいレベルの信号がより大きい増幅率で補正される。
【００４５】
次にステップＳ１６において、ノイズ優先処理部６８と画像サイズ変換部６６は、ノイズ優先処理を実行する。このノイズ優先処理の詳細は、図８のフローチャートを参照して後述するが、このノイズ優先処理により、ノイズ優先モードがオンされている場合には、できるだけ画像サイズを小さくすることなく画像のノイズが抑制されるように自動的に画像のサイズが決定され、そのサイズに画像が変換される。
【００４６】
ステップＳ１７において、マトリックス処理部６７はマトリックス処理する。すなわち、これにより、画像サイズ変換部６６より出力された画像信号からJPEGのサムネイル用の画像信号YCbCrが生成される。ステップＳ１８において、画像データ書き込みブロック５３は、書き込み処理を実行する。これにより画像サイズ変換部６６より出力された１画素あたり１４ビットのRGBデータ（主画像）が８ビットのRGBデータに変換され、フラッシュメモリ５４に供給され、記録される。このとき、その主画像に対応するマトリックス処理部６７で生成されたサムネイル画像も同時に記録される。
【００４７】
次に図８のフローチャートを参照して、図４のステップＳ１６におけるノイズ優先処理の詳細について説明する。
【００４８】
ステップＳ４１において、判定部１２１は、ノイズ優先モードがオンされたかを判定する。すなわちユーザは、画像を記録する前にノイズ優先モードを設定する場合には、ノイズレベル優先ボタン８３を操作して、これをオンする。ステップＳ４１において、ノイズ優先モードがオンされていると判定された場合には、ステップＳ４２において、表示部１２２はウインドウ選択タグを表示する。すなわちこれにより表示部８４にノイズレベル指定ウインドウと画像サイズ制限指定ウインドウを選択するためのタグが表示される。ユーザは、ユーザインターフェース部５５を操作して、対応するタグを選択することで、画像サイズ制御指定ウインドウまたはノイズレベル指定ウインドウを表示させ、各ウインドウにおいてノイズレベルあるいは画像サイズ制限値を設定する。
【００４９】
ステップＳ４３において、判定部１２１は画像サイズ制限指定ウインドウの表示が指令されたか（画像サイズ制限指定ウインドウに対応するタグが選択されたか）を判定する。画像サイズ制限指定ウインドウの表示が指示された場合には、ステップＳ４４において、表示部１２２は画像サイズ制限指定ウインドウを表示する。これにより、例えば図９に示されるような画像サイズ制限指定ウインドウ１４１が表示部８４に表示される。図９の例においては、ユーザはVGA以上、１Ｍ以上、２Ｍ以上、３Ｍ以上、５Ｍ以上、またはオート（Auto）のいずれかの画像サイズ制限値を選択入力することができる。例えば、VGA以上との選択入力が行われた場合には、画像サイズは６４０×４８０画素以上とされる。また３Ｍ以上とされた場合には、その画素数は２０４８×１５３６以上とされる。すなわち、ここにおける画像のサイズとは、画像の横と縦の画素数の積を表す。
【００５０】
ユーザは、その画像を主に一般のテレビジョン受像機で鑑賞する場合にはVGA以上を選択する。主に、ハイデフィニジョンテレビジョン(HDTV)やパーソナルコンピュータのモニタで画像を鑑賞する場合には、ユーザは２Ｍ以上を選択する。一般の家庭用インクジェットプリンタにてＬ判プリントを行う場合には、ユーザは２Ｍ以上を選択する。一般の家庭用インクジェットプリンタにより２Ｌ判プリントを行う場合には、ユーザは３Ｍ以上を選択する。さらに一般の家庭用インクジェットプリンタによりＡ４サイズのプリントを行う場合には、ユーザは５Ｍ以上を選択する。オート（Auto）が選択された場合には、図１１と図１２を参照して後述するように、ユーザが撮影時に指定したISO値に基づいて画像サイズが決定される。
【００５１】
ステップＳ４５において、取込部１２３は、画像サイズ制限の指定を取り込む。すなわちユーザが表示部８４に表示されている図９に示される画像サイズ制限指定ウインドウ１４１において、画像サイズ制限指定値を指定した場合、その指定された値が取り込まれる。
【００５２】
ステップＳ４３において、画像サイズ制限指定ウインドウの表示が指定されなかったと判定された場合には、ステップＳ４６において取組部１２３は、画像サイズ制限の指定としてオート（Auto）を取り込む。すなわちこの場合には、ユーザが画像サイズ制限指定ウインドウ１４１において、Autoを設定したものとされる。
【００５３】
ステップＳ４５，Ｓ４６の処理の後、ステップＳ４７において、判定部１２１は、ノイズレベル指定ウインドウの表示が指示されたか（ノイズレベル指定ウインドウのタグが選択されたか）を判定する。ノイズレベル指定ウインドウの表示が指示された場合には、ステップＳ４８において表示部１２２はノイズレベル指定ウインドウを表示する処理を実行する。これにより、表示部８４に、例えば図１０に示されるノイズレベル指定ウインドウ１４２が表示される。図１０のノイズレベル指定ウインドウ１４２は、Auto、サイズ優先、優先度Ｌｏ、優先度Mid、優先度Hiのいずれかのモードが選択できるように構成されている。優先度Loは優先度Midに比べてノイズレベルを抑制する優先度が低い。優先度Midは優先度Hiに比べて優先度が低い。優先度が低いほどノイズの除去の程度は低くなる。換言すれば、優先度が高いほどノイズの除去の程度が高くなる。サイズ優先が選択された場合には、画像サイズとしては最大記録画像サイズが設定される。オートが設定された場合には、ISO値または画像サイズ制限設定値に基づいて画像サイズが制定される。
【００５４】
図１０のノイズレベル指定ウインドウ１４２においては、優先度をＬo，Ｍid，Hiの３つとしたが、それ以上の段階に区分することも可能である。
【００５５】
ステップＳ４９において、取組部１２３は、ノイズレベルの指定を取り込む。すなわちユーザが図１０に示されるノイズレベル指定ウインドウ１４２において指定したノイズレベルがここで取り込まれる。
【００５６】
ステップＳ４７において、ノイズレベル指定ウインドウの表示が指示されていないと判定された場合には、ステップＳ５０において取組部１２３は、ノイズレベルの指定としてAutoを取り込む。すなわちこの場合には、ユーザがノイズレベル指定ウインドウ１４２においてAutoを選択したものとされる。
【００５７】
次にステップＳ１５１において、画像サイズ変換部６６により画像サイズ決定処理が実行される。この画像サイズ決定処理の詳細は、図１１と図１２のフローチャートを参照して後述するが、これにより、できるだけ画像サイズを小さくしないようにしてノイズを減少させるように画像サイズが決定される。
【００５８】
ステップＳ４１においてノイズ優先モードがオンされていない(オフされている)と判定された場合、ステップＳ４２乃至ステップＳ５０の処理はスキップされ、ステップＳ５１において画像サイズ決定処理が実行される。この場合には、後述するように、図１２のステップＳ１０１において画像サイズが最大記録画像サイズと設定される。
【００５９】
次に図１１と図１２のフローチャートを参照して、図８のステップＳ５１の画像サイズ決定処理の詳細について説明する。
【００６０】
ステップＳ８１において、判定部１０１は、選択されたノイズレベルはオートかを判定する。このノイズレベルは、上述したように、図１０のノイズレベル指定ウインドウ１４２により指定された値である。ステップＳ８１においてノイズレベルがオートであると判定された場合、ステップＳ８２において、判定部１０１は、選択された画像サイズ制限はオートかを判定する。この画像サイズ制限も、上述した図９の画像サイズ制限ウインドウ１４１において設定された値である。画像サイズ制限がオートである場合には、ステップＳ８４において設定部１０２は画像サイズとしてISO値により規定される値（f（ISO値））を設定する。具体的には、次の式（１）に基づいて画像サイズが決定される。
【００６１】
【数１】
0004552140.tif 000002
【００６２】
なお、ここにおいて最大記録画像サイズとは、このデジタルスチルカメラ１において記録可能な最大の画像サイズを意味し、最小ISO値は、このデジタルスチルカメラ１が設定可能な最小ISO値を意味する。また、ISO値はユーザが撮影時に設定したISO値を意味する。Ｐはあらかじめ設定されたノイズ調整係数である。
【００６３】
式（１）に基づき画像サイズを決定することで、次のような効果が得られる。すなわち、被写体が充分に明るい場合、デジタルスチルカメラ１において最小のISO値が設定されるので、式（１）の最小ISO値と被写体の明るさ不足によるISO値ゲインアップの比（最小ISO値／ISO値）の値が１となって、画像サイズを自動的に最大とすることができる。また、式（１）では、その比（最小ISO値／ISO値）にべき関数を用いているので、画像サイズの縮小方法に汎用性をもたせることができ、カメラのセンサー感度、画素数に応じてノイズを考慮した縮小画像サイズを決定することができる。
【００６４】
ステップＳ８２において、画像サイズ制限がオートでないと判定された場合、ステップＳ８３において、判定部１０１はISO値により規定される画像サイズ（式（１）で示されるf（ISO値））が画像サイズ制限設定値より小さいかを判定する。ここにおける画像サイズ制限設定値は、図９におけるVGA以上、１Ｍ以上、２Ｍ以上、３Ｍ以上、または５Ｍ以上であって、すなわちオート以外であって、ユーザが設定した画像サイズ制限設定値を意味する。
【００６５】
ステップＳ８３において、ISO値により規定される画像サイズf（ISO値）が、画像サイズ制限設定値と等しいか、それより大きいと判定された場合、ステップＳ８４において、画像サイズはISO値により規定される値（f（ISO値））とされる。これに対して、ISO値により規定される画像サイズが画像サイズ制限設定値より小さいと判定された場合、設定部１０２はステップＳ８５において画像サイズを画像サイズ制限設定値に設定する。すなわちユーザが図９の画像サイズ制限ウインドウ１４１において、例えばVGA以上を設定した場合には、画像サイズはVGA以上とされる。例えばまた３Ｍ以上と画像サイズ制限設定値を設定した場合には、画像サイズは３Ｍ以上とされる。
【００６６】
ステップＳ８１において、選択されたノイズレベルがオートでない判定された場合、ステップＳ８６において判定部１０１は、選択されたノイズレベルはサイズ優先かを判定する。ノイズレベルがサイズ優先である場合には、ステップＳ８７において、設定部１０２は画像サイズとして最大記録画像サイズを設定する。すなわちこの場合には、サイズ優先が設定されているため、ノイズを抑制するために画像サイズを小さくする処理は実行されないことになる。
【００６７】
ステップＳ８６においてノイズレベルがサイズ優先ではないと判定された場合、ステップＳ８８において判定部１０２は、選択されたノイズレベルは優先度Ｌｏかを判定する。ノイズレベルが優先度Ｌｏである場合には、ステップＳ８９において、判定部１０２は、選択された画像サイズ制限はオート（Auto）かを判定する。画像サイズ制限がオートである場合には、ステップＳ９１において設定部１０２は次の式（２）に従って画像サイズを決定する。
【００６８】
【数２】
0004552140.tif 000003
【００６９】
なお、この係数KLOは、あらかじめ設定された０以上１以下の係数である。
【００７０】
式（２）に基づき画像サイズを決定することで（後述する式（３）乃至式（５）、式（７）、式（８）についても同様）、次のような効果が得られる。すなわち、ノイズを考慮した場合に、ユーザが用途に合わせて設定した制限画像サイズよりさらに縮小された画像サイズが決定されることがない。また、係数ＫLo（ＫMid, ＫHi）を用いることにより、カメラのセンサー感度、画素数に応じて、ノイズを考慮した縮小画像サイズを決定することができる。
【００７１】
ステップＳ８９において、画像サイズ制限がオートでないと判定された場合、ステップＳ９０において設定部１０２は式（５）に従って画像サイズを決定する
【００７２】
【数３】
0004552140.tif 000004
【００７３】
ステップＳ８８において、選択されたノイズレベルが優先度Loではない判定された場合、ステップＳ９２において判定部１０１は、選択されたノイズレベルは優先度Midであるかを判定する。ノイズレベルが優先度Midである場合には、ステップＳ９３において、判定部１０１は選択された画像サイズ制限がオートかを判定する。画像サイズ制限がオートである場合には、ステップＳ９５において設定部１０２は式（５）に従って画像サイズを決定する。
【００７４】
【数４】
0004552140.tif 000005
【００７５】
ステップＳ９３において画像サイズ制限がオートでないと判定された場合には、ステップＳ９４において設定部１０２は式（５）に従って画像サイズを決定する。
【００７６】
【数５】
0004552140.tif 000006
【００７７】
なお式(４)と式(５)の係数KMidは、上述した式（２）と式（３）における係数KLOと、次の式（６）で示される関係を有している。式（６）に示されるように係数KLOは係数KMidに比べて大きい。
【００７８】
【数６】
0004552140.tif 000007
【００７９】
ステップＳ９２において、選択されたノイズレベルが優先度Midではないと判定された場合、ステップＳ９６において、判定部１０１は、選択されたノイズレベルは優先度Hiかを判定する。ノイズレベルが優先度Hiである場合には、ステップＳ９７において判定部１０１は、選択された画像サイズ制限はオートかを判定する。画像サイズ制限がオートである場合には、ステップＳ９９において、設定部１０２は式（７）に従って画像サイズを設定する。
【００８０】
【数７】
0004552140.tif 000008
【００８１】
ステップＳ９７において選択された画像サイズ制限がオートではない判定された場合、ステップＳ９８において、設定部１０２は式（８）に従って画像サイズを設定する。
【００８２】
【数８】
0004552140.tif 000009
【００８３】
ステップＳ９６において、ノイズレベルが優先度Hiではないと判定された場合、ステップＳ１００において、判定部１０１はマニュアル操作により画像サイズが指定されているかを判定する。ユーザは、ノイズレベル優先処理とは独立して、図１８のフローチャート参照して後述するように、マニュアルによっても画像サイズ(この場合、設定されるのは画像サイズであって、画像サイズ制限ではない)を設定することが可能である。この設定が行われている場合には、ステップＳ１０２において設定部１０２は、ユーザのマニュアル操作により指定された画像サイズを設定する。
【００８４】
ステップＳ１００において、マニュアル操作により画像サイズが指定されていないと判定された場合、ステップＳ１０１において、設定部１０２は画像サイズとして最大記録画像サイズを設定する。すなわち図１０に示されるノイズレベル指定ウインドウ１４２においてAuto、サイズ優先Lo、優先度Mid、並びに優先度Hiのいずれもが選ばれなかった場合には、最大記録画像サイズが設定されることになる。
【００８５】
以上にようにして、ステップＳ８４，Ｓ８５，Ｓ８７，Ｓ９０，Ｓ９１，Ｓ９４，Ｓ９５，Ｓ９８，Ｓ９９，Ｓ１０１，Ｓ１０２により画像サイズが設定された後、ステップＳ１０３において、変換部１０３は画像サイズを変換する処理を実行する。これにより、ｍ個の画素からｎ個（ｎ≦ｍ）の画素を生成することで、設定されたサイズに画像サイズが変換されることになる。
【００８６】
なお、画像サイズ制限指定ウインドウとしては、図９に示される場合の他、図１３に示されるようにすることも可能である。この図１３Ａの画像サイズ制限指定ウインドウ１５１は、テレビ（TV）鑑賞、Ｌ判プリント、２Ｌ判プリント、Ａ４プリント・・・、オートのいずれかを選択することができるように構成されており、図１３Ｂの画像サイズ制限指定ウインドウ１５２は、TV鑑賞、HDTV鑑賞、２Ｌ判プリント、Ａ４プリント、・・・、Autoのいずれかが選択できるように構成されている。
【００８７】
以上のようにして、必要に応じて、複数の画素から１個の画素が生成されるか、あるいは複数のより大きい数の画素からより小さい数の画素が生成される。このようにすることで、ノイズを低減することが可能となる。
【００８８】
例えば図１４に示されるように、単に信号レベル（signal_level）を増幅すると、式（９）に従ってノイズ（noise_σ）も増加することになる。なお式（９）におけるa,bは定数である。
【００８９】
【数９】
0004552140.tif 000010
【００９０】
これに対して、図１５に示されるように、例えば１枚の画像から４つの画素Ｐ１乃至Ｐ４を抽出し、この４つの画素Ｐ１乃至Ｐ４から図１６に示されるように、１つの画素xを生成すると、この１つの画素xの信号レベルXnewは式（１０）に示されるようになり、そのノイズσnewは式（１１）に示されるようになる。
【００９１】
【数１０】
0004552140.tif 000011
【００９２】
なお式(１０)と式(１１)において、x１乃至x４は画素P１乃至Ｐ４の信号レベルを表し、σ１乃至σ４は画素Ｐ１乃至Ｐ４のノイズレベルを表す。
【００９３】
式(１０)に示されるように、信号値は通常の平均となるが、式(１１)に示されるように、ノイズの平均は自乗平均となるため、より減少することになる。
【００９４】
図１７は、横軸を画素数、縦軸をISO感度としてノイズ量の等高線を表している。領域Ｒ１より領域Ｒ２の方がノイズが多く、領域R２より領域Ｒ３の方がノイズが多く、領域R３より領域Ｒ４の方がノイズが大きい。同一のISO感度の場合、画素数が少ないほど、ノイズが少ないことが分かる。
【００９５】
このように、ユーザはノイズ優先モードをオンすることで、必要以上に画像サイズを小さくすることなく、簡単に、画像のノイズを抑制する事ができる。
【００９６】
上述したように、ユーザは、画像サイズをマニュアルにより設定することも可能である。図１８は、この場合の処理を表している。この処理は、ユーザが画像サイズボタン８１を操作したとき開始される。
【００９７】
この処理のため、ユーザインターフェースブロック５５は、図１９に示される機能的構成を有している。すなわちユーザインターフェースブロック５５は、表示部１９１、判定部１９２，取込部１９３，並びに設定部１９４により構成される。表示部１９１はウインドウを表示する。判定部１９２は各種の判定処理を実行する。取込部１９３はユーザにより設定されたデータを取り込む。設定部１９４は取り込まれたデータに基づく設定処理を行う。
【００９８】
図１８のステップＳ１２１において、表示部１９１は画像サイズ設定ウインドウを表示する。これにより、例えば表示部８４に、図２０に示される画像サイズ設定ウインドウ２０１が表示される。図２０の画像サイズ設定ウインドウ２０１は、VGA、１Ｍ、２Ｍ、３Ｍまたは５Ｍの中からいずれかの画像サイズをユーザが選択入力することができるように構成されている。
【００９９】
図２０と図９を比較して明らかなように、図２０の画像サイズ設定ウインドウ２０１には、以上の文字が表示されていない。これは図９の画像サイズ制限指定ウインドウ１４１は、画像サイズを選択入力された値以上に設定させるものであるのに対して、図２０の画像サイズ設定ウインドウ２０１は、ユーザにより指定された値そのものに、画像サイズを設定するものであるからである。
【０１００】
ユーザは、この画像サイズ設定ウインドウ２０１から所定の選択入力を行うことで、画像サイズを指示する。そこで、ステップＳ１２２において判定部１９２は画像サイズが選択されたかを判定する。画像サイズが選択されたと判定された場合、ステップＳ１２３において取込部１９３は選択された画像サイズを取り込む。例えば図２０に示される２Ｍが選択された場合には、この選択された値２Ｍが取り込まれる。ステップＳ１２４において設定部１９４は、選択された画像サイズを指定する。これにより、ステップＳ１２３で取り込まれた値に画像サイズが指定されることになる。例えば２Ｍが取り込まれた場合には、画像サイズは２Ｍに指定される。
【０１０１】
これに対してステップＳ１２２において、画像サイズが選択されていないと判定された場合、ステップＳ１２５において設定部１９４は画像サイズとして最大の画像サイズを指定する。
【０１０２】
以上のようにして、指定された画像サイズが図１２のステップＳ１０２において最終的に画像サイズとして設定され、ステップＳ１０３でそのサイズに画像が変換されることになる。
【０１０３】
なお、以上のノイズレベル優先ボタン８３または画像サイズボタン８１を操作した場合における処理は撮影モードとは独立した処理である。すなわちユーザがどのような撮影モードを選択した場合にも、上述した処理が独立に実行されることになる。
【０１０４】
ユーザが撮影モードを設定する場合の処理について、図２１のフローチャートを参照して説明する。この処理は、ユーザがメニューボタン８２を操作したとき開始される。
【０１０５】
ステップＳ１５１において表示部１９１は撮影モード選択ウインドウを表示する。すなわち表示部８４に撮影モード選択ウインドウが表示される。このウインドウには、例えばAuto、プログラム、夜景モード、夜景＆人物モード、風景モード、ソフトスナップモード、スノーモード、ビーチモード、キャンドルモードといった撮影モードが表示されており、ユーザはそのいずれかを選択する。これらの撮影モードは被写体の撮影条件を最適に設定するものである。例えば、夜景モードが選択された場合、夜景を最適に撮影することが可能な状態が自動的に設定されることになる。あるいはまた、スノーモードが設定された場合には、雪を背景とする被写体を最適に撮影することができる。
【０１０６】
ユーザはいずれかの撮影モードを選ぶ。判定部１９１はステップＳ１５２において、撮影モードが選択されたかを判定する。撮影モードが選択された場合には、ステップＳ１５３において取込部１９３は選ばれた撮影モードを取り込む。ステップＳ１５４において設定部１９４は取り込まれた撮影モードを設定する。すなわちステップＳ１５３で取り込まれた撮影モードが設定されることになる。
【０１０７】
ステップＳ１５２において撮影モードが選択されていないと判定された場合には、ステップＳ１５５において設定部１９４はオートモードを設定する。
【０１０８】
ユーザが以上の撮影モードのいずれを選択設定した場合においても、ノイズレベル優先ボタン８３または画像サイズボタン８１を選択して、上述した動作を実行させることが可能である。
【０１０９】
図２２は画像信号処理ブロック５２の他の実施形態を表している。この画像信号処理ブロック５２においては、ISOゲイン補正部６１とホワイトバランス処理部６２の次に、同時化処理部６４が配置され、さらにその次に画像サイズ変換処理部６６、リニアマトリックス処理部６３、γ補正処理部６５、並びにマトリックス処理部６７が順次配置されている。その他の構成は図１における場合と同様である。この実施形態においては、γ補正やリニアマトリックス補正によるノイズの増幅を避けることができるので、よりノイズレベルを低減することが可能となる。
【０１１０】
図２３は、画像信号処理ブロック５２のさらに他の実施形態を表している。この実施形態においては、先頭に画像サイズ変換部６６が配置され、その後にISOゲイン補正部６１、ホワイトバランス処理部６２、リニアマトリックス処理部６３、同時化処理部６４、γ補正処理部６５、マトリックス処理部６７が順次配置されている。その他の構成は図１における場合と同様である。この図２３の実施形態の場合、光センサ５１から出力される画像信号に対して、ノイズレベルがさまざまな画像処理の段階で増幅されるのを避けることができ、図１と図２２に示される実施形態に比べて、よりノイズ低減効果を達成することが可能となる。
【０１１１】
上述した一連の処理は、ハードウエアにより実行させることもできるし、ソフトウエアにより実行させることもできる。この場合、例えば、デジタルスチルカメラ１は、図２４に示されるようなパーソナルコンピュータにより構成される。
【０１１２】
図２４において、CPU（Central Processing Unit）２２１は、ROM（Read Only Memory）２２２に記憶されているプログラム、または記憶部２２８からRAM（Random Access Memory）２２３にロードされたプログラムに従って各種の処理を実行する。RAM２２３にはまた、CPU２２１が各種の処理を実行する上において必要なデータなども適宜記憶される。
【０１１３】
CPU２２１、ROM２２２、およびRAM２２３は、バス２２４を介して相互に接続されている。このバス２２４にはまた、入出力インタフェース２２５も接続されている。
【０１１４】
入出力インタフェース２２５には、キーボード、マウスなどよりなる入力部２２６、CRT(Cathode Ray Tube)、LCD(Liquid Crystal display)などよりなるディスプレイ、並びにスピーカなどよりなる出力部２２７、ハードディスクなどより構成される記憶部２２８、モデムなどより構成される通信部２２９が接続されている。通信部２２９は、インターネットを含むネットワークを介しての通信処理を行う。
【０１１５】
入出力インタフェース２２５にはまた、必要に応じてドライブ２３０が接続され、磁気ディスク、光ディスク、光磁気ディスク、或いは半導体メモリなどのリムーバブルメディア２３１が適宜装着され、それらから読み出されたコンピュータプログラムが、必要に応じて記憶部２２８にインストールされる。
【０１１６】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１１７】
この記録媒体は、図２４に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブルメディア２３１により構成されるだけでなく、装置本体に予め組み込まれた状態でユーザに提供される、プログラムが記録されているROM２２２や、記憶部２２８に含まれるハードディスクなどで構成される。
【０１１８】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１１９】
また、本明細書において、システムとは、複数の装置（または特定の機能を実現する機能モジュール）が論理的に集合した物を意味し、各装置や機能モジュールが単一の筐体内にあるか否かは問わない。
【０１２０】
なお、本発明の実施の形態は、上述した実施の形態に限定されるものではなく、本発明の要旨を逸脱しない範囲において種々の変更が可能である。
【図面の簡単な説明】
【０１２１】
【図１】本発明を適用したデジタルスチルカメラの実施の形態の構成を示すブロック図である。
【図２】画像サイズ変換部の機能的構成を示すブロック図である。
【図３】ノイズ優先処理部の機能的構成を示すブロック図である。
【図４】画像記録処理を説明するフローチャートである。
【図５】光センサの特性を示す図である。
【図６】ISOゲイン補正の特性を示す図である。
【図７】ガンマ補正の特性を示す図である。
【図８】ノイズ優先処理を説明するフローチャートである。
【図９】画像サイズ制限指定ウインドウの例を示す図である。
【図１０】ノイズレベル指定ウインドウの例を示す図である。
【図１１】画像サイズ決定処理を説明するフローチャートである。
【図１２】画像サイズ決定処理を説明するフローチャートである。
【図１３】画像サイズ制限指定ウインドウの他の実施形態を示す図である。
【図１４】信号とノイズのレベルの関係を示す図である。
【図１５】画素の信号レベルとノイズレベルを説明する図である。
【図１６】画素を１つの画素に合成する処理を説明する図である。
【図１７】ノイズ量の等高線を示す図である。
【図１８】マニュアル操作による画像サイズ設定処理を説明するフローチャートである。
【図１９】ユーザインターフェースブロックの機能的構成を示すブロック図である。
【図２０】画像サイズ設定ウインドウを示す図である。
【図２１】撮影モード設定処理を説明するフローチャートである。
【図２２】本発明の画像信号処理ブロックの他の実施形態の構成を示すブロック図である。
【図２３】本発明の画像信号処理ブロックのさらに他の実施形態の構成を示すブロック図である。
【図２４】パーソナルコンピュータの構成を示すブロック図である。
【符号の説明】
【０１２２】
１  デジタルスチルカメラ，  ５１  光センサ，  ５２  画像信号処理ブロック，  ５３  画像データ書込ブロック，  ５４  フラッシュメモリ，  ５５  ユーザインターフェース部，  ６１  ISOゲイン補正部，  ６２  ホワイトバランス処理部，  ６３  リニアマトリックス処理部，  ６４  同時化処理部，  ６５  γ補正処理部，  ６６  画像サイズ変換，  ６７  マトリックス処理部，  ６８  ノイズ優先処理部
【図１】
0004552140.tif 000012
【図２】
0004552140.tif 000013
【図３】
0004552140.tif 000014
【図４】
0004552140.tif 000015
【図５】
0004552140.tif 000016
【図６】
0004552140.tif 000017
【図７】
0004552140.tif 000018
【図８】
0004552140.tif 000019
【図９】
0004552140.tif 000020
【図１０】
0004552140.tif 000021
【図１１】
0004552140.tif 000022
【図１２】
0004552140.tif 000023
【図１３】
0004552140.tif 000024
【図１４】
0004552140.tif 000025
【図１５】
0004552140.tif 000026
【図１６】
0004552140.tif 000027
【図１７】
0004552140.tif 000028
【図１８】
0004552140.tif 000029
【図１９】
0004552140.tif 000030
【図２０】
0004552140.tif 000031
【図２１】
0004552140.tif 000032
【図２２】
0004552140.tif 000033
【図２３】
0004552140.tif 000034
【図２４】
0004552140.tif 000035